(57)【要約】【課題】  商用電源の不安定時に電圧と周波数を安定化し、複数の遊技機に電源を供給することができ、また電磁輻射ノイズを低減し、インバータの回路故障時にも出力電源の供給が途絶えることなく電源供給できるようにしたインバータ内蔵型のトランス式遊技機安定化電源装置を提供することを目的とする。【解決手段】  複数台の遊技機に電力を供給する遊技機用電源装置において、商用電源供給線からの交流電圧を入力し安定化して出力するインバータ装置と、該インバータ装置から出力される安定化電圧を降圧して複数の遊技機に所定電圧を供給する複数の２次巻線を備えたトランス装置とを備える。該インバータ装置とトランス装置とを１つのユニット内に配置し、インバータ装置の安定化出力線とトランス装置の１次巻線との配線を短くする。【選択図】  図１
2006055228.tif 000002
【特許請求の範囲】
【請求項１】
複数台の遊技機に電力を供給する遊技機用電源装置であって、
商用電源供給線からの交流電圧を入力し、安定化して出力するインバータ装置と、
該インバータ装置から出力される安定化電圧を降圧して複数の遊技機に所定電圧を供給する複数の２次巻線を備えたトランス装置と
を備え、該インバータ装置とトランス装置とを１つのユニット内に配置することにより、インバータ装置の安定化出力線とトランス装置の１次巻線との配線を短くしたことを特徴とする遊技機用電源装置。
【請求項２】
請求項１に記載の遊技機用電源装置において、
前記インバータ装置から出力される安定化電圧を監視し、該電圧が所定範囲を外れたとき駆動信号を出力する切換回路と、
前記インバータ装置から出力される安定化電圧の電圧値が前記所定範囲内にあるときは、前記インバータ装置の安定化出力線と前記トランスの１次巻線とを接続し、前記切換回路から駆動信号が出力されたときは、商用電源と前記トランスの１次巻線とを接続するように切換える切換リレーと
を、さらに備えたことを特徴とする遊技機用電源装置。
【発明の詳細な説明】
【技術分野】
【０００１】
本発明は、パチンコ台のような複数台の遊技機に電力を供給する電源装置に関する。
【背景技術】
【０００２】
パチンコ台などの遊技機に電力を供給する電源装置では、出力電圧が変動すると遊技機の動作に影響を与えるため、安定化した定電圧が各遊技機に供給されるようにしている。通常、電圧変動（ＡＣ８５Ｖ〜１１５Ｖ）対策としてはインバータ回路を設けて電圧の安定化（ＡＣ９９Ｖ〜１０１Ｖ）を図り、ここからトランスに分配し、各パチンコ台にＡＣ２４Ｖの電力を供給している。一般的に、インバータ回路とは、電圧および周波数の安定化を目的として、例えば交流１００Ｖを直流に変換し、再度電子回路により交流１００Ｖに戻す回路を言う。
【０００３】
図５は、従来より用いられている遊技機用電源システムの一例を示す。インバータ電源５０１は、商用電源電圧ＡＣ１００Ｖを入力し、安定化した１００Ｖの交流電圧を安定化出力線５０２に出力する。５０３−１や５０３−２は、それぞれ小型トランスを示し、安定化出力線５０２のＡＣ１００Ｖを変圧してＡＣ２４Ｖの電圧を出力する。ここでは各小型トランスが２系統の電源を出力するように図示した。５０４−１や５０４−２は、小型トランス５０３−１からのＡＣ２４Ｖの電源出力である。５０５−１〜５０５−４はそれぞれパチンコ台を示し、小型トランス５０３−１，５０３−２からＡＣ２４Ｖの電源を供給されて動作する。他のパチンコ台についても同様にして電源が供給される。
【０００４】
一方、下記特許文献１には、パチンコ台に電力を供給するための電源トランスを、各パチンコ台毎に、個別独立に、かつパチンコ台の近傍に設けてなる遊技機用定電圧システムが開示されている。この技術は、パチンコ台毎に電源トランスを個別独立して設け、パチンコ台毎に個別に電力供給することにより、パチンコ台同士でそれぞれ電気的に独立したものとなるようにし、パチンコ台毎の消費電力の変動が互いに作用し合うことなく、そのような相互作用による悪影響を防止するものである。また、パチンコ台の近傍に電源トランスを配置し、電源トランスからパチンコ台へ電力を供給するための供給電導線を短くし、これによりパチンコ台の電圧降下を防止するものである。
【０００５】
特許文献２，３は、停電時のバックアップを行なう遊技機用電源システムを開示する。これらは、商用電源からの交流電圧を変換した直流電圧をバッテリーにより蓄電しておき、商用電源の停電時には、該バッテリーからの直流電圧を交流に変換して出力する技術を開示するものである。
【特許文献１】特許第２６７００２９号
【特許文献２】特開平１０−２８６３４６号
【特許文献３】特開２００２−２９１９９５号
【発明の開示】
【発明が解決しようとする課題】
【０００６】
ところで、図５に示すようにインバータ電源で安定化を図っても、安定化出力線の配線が長くなるためここでの電圧降下があり、そのためパチンコ台などで動作不良が起こるという欠点があった。また、インバータ出力の配線が長くなることは、その配線ラインがアンテナとなって、外部輻射ノイズが多く発生し、パチンコ台や周りの電子機器への影響や人体への影響も心配されている。
【０００７】
上記特許文献１では、電源トランスからパチンコ台への配線を短くして電圧降下を防止することについては記載があるものの、インバータ出力の配線については記載がない。特許文献１の図１の１００Ｖ供給電導配線６に「定電圧」の記載があることからみて、商用１００Ｖの電圧をインバータで安定化した電圧出力１００Ｖが該配線６に供給されていると推察される。
【０００８】
上記特許文献２，３では、商用電源が停電した場合に遊技機が動作停止しないようにできる。しかし、商用電源の停電の可能性よりも、遊技機に電源供給する電源システム内部の故障などの可能性の方が高いと考えられる。特許文献２，３では、このような点を考慮しておらず、例えばインバータ部分の故障に対する対策についての言及はない。
【０００９】
本発明は、上述したパチンコ台などの遊技機用の電源装置の問題点を解決することを目的とし、特に商用電源の不安定時に電圧と周波数を安定化し、複数の遊技機に電源を供給することができ、また電磁輻射ノイズを低減し、インバータの回路故障時にも出力電源の供給が途絶えることなく電源供給できるようにしたインバータ内蔵型のトランス式遊技機安定化電源装置を提供することを目的とする。
【課題を解決するための手段】
【００１０】
上記目的を達成するため、請求項１に係る発明は、複数台の遊技機に電力を供給する遊技機用電源装置であって、商用電源供給線からの交流電圧を入力し、安定化して出力するインバータ装置と、該インバータ装置から出力される安定化電圧を降圧して複数の遊技機に所定電圧を供給する複数の２次巻線を備えたトランス装置とを備え、該インバータ装置とトランス装置とを１つのユニット内に配置することにより、インバータ装置の安定化出力線とトランス装置の１次巻線との配線を短くしたことを特徴とする。
【００１１】
請求項２に係る発明は、請求項１に記載の遊技機用電源装置において、前記インバータ装置から出力される安定化電圧を監視し、該電圧が所定範囲を外れたとき駆動信号を出力する切換回路と、前記インバータ装置から出力される安定化電圧の電圧値が前記所定範囲内にあるときは、前記インバータ装置の安定化出力線と前記トランスの１次巻線とを接続し、前記切換回路から駆動信号が出力されたときは、商用電源と前記トランスの１次巻線とを接続するように切換える切換リレーとを、さらに備えたことを特徴とする。
【発明の効果】
【００１２】
本発明によれば、商用電源の不安定時に電圧と周波数を安定化し、１つの電源装置（電源ユニット）で複数の遊技機に安定した電源を供給することができるとともに、インバータとトランス１次側との配線を短くしているので電磁輻射ノイズも低減される。また、インバータ回路故障時には、商用電源からトランスに電源供給されるように切換えるので、電源の供給が途絶えることがない。
【発明を実施するための最良の形態】
【００１３】
以下、図面を用いてこの発明を実施するための一形態を説明する。
【００１４】
図１は、本発明の実施の形態に係る遊技機用電源装置の概略構成図を示す。１０１はＡＣ８５Ｖ〜１１５Ｖの程度で変動する商用の電力供給線を示す。１０２−１〜１０２−５は、それぞれ、２台から４台程度の複数のパチンコ台に電力を供給する電源ユニットを示す。１つの電源ユニット、例えば１０２−１は、インバータ１０３およびトランス１０５を備える。インバータ１０３は、商用の電力供給線１０１からＡＣ８５Ｖ〜１１５Ｖの電圧を入力し安定化して、安定化出力線１０４にＡＣ９９Ｖ〜１０１Ｖ程度の安定化電圧を供給する。トランス１０５は、安定化出力線１０４からのＡＣ９９Ｖ〜１０１Ｖ程度の電圧をＡＣ２４Ｖに降圧する。ここでは、トランス１０５の二次側巻き線を２回路とし出力コンセント１０６−１，１０６−２は２個とした。ただし出力コンセントは２個〜４個程度であれば、トランスの効率化および安定化の点では問題はない。本電源ユニット１０２−１では、トランス１０５の直近、すなわちトランスケース内にインバータ１０３を設け、安定化出力線１０４とトランス一次線とを最短配線としている。これにより、ノイズ発生源となるインバータ出力線が極めて短くなり、電磁輻射ノイズが低減される。なお、１０２−２〜１０２−５の各電源ユニットも同様の構成である。
【００１５】
図２は、電源ユニット１０２−１の内部構成図を示す。商用電源ＡＣ８５〜１１５Ｖの入力はインバータ１０３により安定化され安定化出力線１０４に供給される。２０１は切換回路、２０２は切換リレーを示す。切換リレー２０２は、インバータ１０３の出力電圧が正常範囲である状態では安定化出力線１０４の出力電圧がトランス１０５の１次側に供給される状態をとり、切換回路２０１から駆動信号２１２が出力されたとき、商用電源２１１がトランス１０５の１次側に供給されるように切換えるリレーである。切換回路２０１は、インバータ１０３の安定化出力線１０４の電圧を監視し、該電圧が所定値以下に低下したとき（２１３）、切換リレー２０２を安定化出力線１０４から商用電源２１１に切換える駆動信号２１２を出力する。これにより、故障など何らかの理由によりインバータ１０３の出力が変動した場合であっても、最小限、商用電源からトランス１０５を経た電源がパチンコ台などに供給される。
【００１６】
図３は、図１や図２で説明したインバータ１０３の概略構成を示すブロック図である。整流器３０１は、入力した商用電源の交流を直流に変換する。コンデンサ３０２は、変換された直流電圧を平滑化する。交流スイッチ３０４は、トランジスタまたはＦＥＴなどの電子部品で直流を交互に切り換えて再度交流に戻す回路である。発振回路３０３は、マルチバイブレータと呼ばれる回路に代表される発振回路で、５０Ｈｚまたは６０Ｈｚの切換信号を発振し交流スイッチ３０４を切換える。このような回路により、ほぼＡＣ１００Ｖに安定化された電圧が出力される。
【００１７】
図４は、図２で説明した切換回路付近の構成を示すブロック図である。入力１は商用電源からの入力であり、入力２はインバータ１０３からの安定化出力線１０４に相当する。切換リレー４０３は、図２で説明した切換リレー２０２に相当するものであり、通常は入力２のインバータ側の入力２側に接続されている。４０１はインバータ出力電圧の監視回路である。電圧監視回路４０１は、整流器４１１、コンデンサ４１２、比較アンプ４１３、および基準電圧回路４１４を備える。インバータ出力は、整流器４１１により整流されコンデンサ４１２により平滑されて、検出電圧として比較アンプ４１３の第１の入力端子に入力する。整流器４１１とコンデンサ４１２により電圧センス回路を構成している。基準電圧回路４１４からの基準電圧が、比較アンプの第２の入力端子に入力する。比較アンプはこれらの電圧を比較し、インバータからの出力の電圧が基準電圧から大きく外れるとき、ドライブ回路４０２を動作させて（インバータからの出力電圧が正常の範囲ならオン、不良ならオフ）切換リレー４０３を入力２から入力１の側に切換える。これにより、インバータ出力電圧が基準電圧を所定以上外れるとき、商用電源からの電力を使うように切換えることができる。
【図面の簡単な説明】
【００１８】
【図１】本発明の実施の形態に係る遊技機用電源装置の概略構成図
【図２】１台の電源装置（電源ユニット）の内部構成図
【図３】インバータ回路の概略構成を示すブロック図
【図４】切換回路付近の構成を示すブロック図
【図５】従来の電源システムの例を示す図
【符号の説明】
【００１９】
１０１…商用の電力供給線、１０２−１〜１０２−５…電源ユニット、１０３…インバータ、１０４…安定化出力線、１０５…トランス、１０６−１，１０６−２…出力コンセント、１０７−１〜１０７−４…遊技機、２０１…切換回路、２０２…切換リレー、２１１…商用電源、２１２…駆動信号。
【図１】
2006055228.tif 000003
【図２】
2006055228.tif 000004
【図３】
2006055228.tif 000005
【図４】
2006055228.tif 000006
【図５】
2006055228.tif 000007